(57)【要約】【課題】着用者の臀部にフィットするパンツ型吸収性物品を提供する。【解決手段】  吸収性本体（１０）と、腹側胴回り部材（２０）と、背側胴回り部材（３０）とを備えたパンツ型吸収性物品（１）であって、パンツ型吸収性物品（１）を左右方向に伸長させた状態において、吸収性本体（１０）の左右方向の一方側の側端から、背側胴回り部材（３０）の左右方向の一方側の側端までの長さ（Ｗ３２２）は、吸収性本体（１０）の左右方向の長さ（Ｗ１０）よりも長く、背側胴回り部材（３０）は、接合部（２）よりも下側に延出する延出部（３２）を有し、延出部（３２）には、傾斜弾性部材（３７）と、横弾性部材（３８）が設けられており、前後方向に沿って見た場合に、傾斜弾性部材（３７）と横弾性部材（３８）は重なり部を有している。【選択図】図２
2019030551.tif 000002
【特許請求の範囲】
【請求項１】
上下方向と左右方向と前後方向を有し、
吸収性本体と、腹側胴回り部材と、背側胴回り部材とを備え、
前記左右方向の両側端部において、前記腹側胴回り部材及び前記背側胴回り部材が一対の接合部によって接合されているパンツ型吸収性物品であって、
前記パンツ型吸収性物品を前記左右方向に伸長させた状態において、前記吸収性本体の前記左右方向の一方側の側端から、前記背側胴回り部材の前記左右方向の前記一方側の側端までの長さは、前記吸収性本体の前記左右方向の長さよりも長く、
前記背側胴回り部材は、前記接合部よりも下側に延出する延出部を有し、
前記延出部には、傾斜弾性部材と、横弾性部材が設けられており、
前記傾斜弾性部材は、前記延出部の前記左右方向の側端部において、前記左右方向に対して傾いて配置され、
前記横弾性部材は、前記左右方向に沿って配置され、
前記前後方向に沿って見た場合に、前記傾斜弾性部材と前記横弾性部材は重なり部を有していることを特徴とするパンツ型吸収性物品。
【請求項２】
請求項１に記載のパンツ型吸収性物品であって、
前記横弾性部材は、前記傾斜弾性部材よりも前記左右方向の外側に延出していること、を特徴とするパンツ型吸収性物品。
【請求項３】
請求項２に記載のパンツ型吸収性物品であって、
前記横弾性部材は、前記延出部の前記左右方向の側端まで達していること、を特徴とするパンツ型吸収性物品。
【請求項４】
請求項１から請求項３の何れか１項に記載のパンツ型吸収性物品であって、
前記延出部において、複数の前記横弾性部材が前記上下方向に間隔を空けて配置されており、
前記傾斜弾性部材の下端は、最も下側の前記横弾性部材よりも下側に延出していること、を特徴とするパンツ型吸収性物品。
【請求項５】
請求項１から請求項４の何れか１項に記載のパンツ型吸収性物品であって、
前記傾斜弾性部材は、前記左右方向の外側から内側に向かって前記上下方向の下側に傾斜しており、
前記傾斜弾性部材は、前記吸収性本体の前記左右方向の側端まで達していないこと、を特徴とするパンツ型吸収性物品。
【請求項６】
請求項１から請求項５の何れか１項に記載のパンツ型吸収性物品であって、
前記パンツ型吸収性物品の包装状態において、前記腹側胴回り部材及び前記背側胴回り部材が、前記上下方向に沿う折り位置にて、前記左右方向の内側に折られており、
前記前後方向に沿って見た場合に、前記傾斜弾性部材と前記折り位置は重なっていないこと、を特徴とするパンツ型吸収性物品。
【請求項７】
請求項１から請求項６の何れか１項に記載のパンツ型吸収性物品であって、
前記背側胴回り部材は、前記延出部よりも上側に胴回り部を有し、
前記胴回り部には、前記左右方向に沿う胴回り弾性部材が設けられており、
前記胴回り弾性部材は、前記接合部よりも前記左右方向の内側に配置されていること、を特徴とするパンツ型吸収性物品。
【請求項８】
請求項７に記載のパンツ型吸収性物品であって、
前記胴回り部において、複数の前記胴回り弾性部材が前記上下方向に間隔を空けて配置されており、
前記延出部において、複数の前記横弾性部材が前記上下方向に間隔を空けて配置されており、
前記上下方向に隣り合う前記胴回り弾性部材の前記上下方向の間隔が、前記上下方向に隣り合う前記横弾性部材の前記上下方向の間隔と同じであること、を特徴とするパンツ型吸収性物品。
【請求項９】
請求項７に記載のパンツ型吸収性物品であって、
前記胴回り部において、複数の前記胴回り弾性部材が前記上下方向に間隔を空けて配置されており、
前記延出部において、複数の前記横弾性部材が前記上下方向に間隔を空けて配置されており、
前記上下方向に隣り合う前記横弾性部材の前記上下方向の間隔は、前記上下方向に隣り合う前記胴回り弾性部材の前記上下方向の間隔よりも広いこと、を特徴とするパンツ型吸収性物品。
【請求項１０】
請求項７に記載のパンツ型吸収性物品であって、
前記胴回り部において、複数の前記胴回り弾性部材が前記上下方向に間隔を空けて配置されており、
前記延出部において、複数の前記横弾性部材が前記上下方向に間隔を空けて配置されており、
前記上下方向に隣り合う前記横弾性部材の前記上下方向の間隔は、前記上下方向に隣り合う前記胴回り弾性部材の前記上下方向の間隔よりも狭いこと、を特徴とするパンツ型吸収性物品。
【請求項１１】
請求項１から請求項１０の何れか１項に記載のパンツ型吸収性物品であって、
前記延出部において、複数の前記傾斜弾性部材が前記左右方向に間隔を空けて配置されており、
前記左右方向の最も外側において、前記左右方向に隣り合う前記傾斜弾性部材の前記左右方向の間隔の最大値が、
前記左右方向の前記最も外側よりも内側において、前記左右方向に隣り合う前記傾斜弾性部材の前記左右方向の間隔の最小値よりも小さいこと、を特徴とするパンツ型吸収性物品。
【請求項１２】
請求項１から請求項１１の何れか１項に記載のパンツ型吸収性物品であって、
前記延出部において、複数の前記横弾性部材が前記上下方向に間隔を空けて配置されており、
複数の前記横弾性部の各々について、前記傾斜弾性部材から前記左右方向の外側に延出している長さが異なること、を特徴とするパンツ型吸収性物品。
【請求項１３】
請求項１から請求項１２の何れか１項に記載のパンツ型吸収性物品であって、
前記延出部の前記左右方向の一方側において、前記横弾性部材が前記傾斜弾性部材よりも前記左右方向の一方側に延出している長さと、
前記延出部の前記左右方向の他方側において、前記横弾性部材が前記傾斜弾性部材よりも前記左右方向の他方側に延出している長さとが異なること、を特徴とするパンツ型吸収性物品。
【請求項１４】
請求項１から請求項１３の何れか１項に記載のパンツ型吸収性物品であって、
自然状態の前記パンツ型吸収性物品において、
前記延出部は、前記傾斜弾性部材よりも前記左右方向の外側に張り出した部位を有すること、を特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、例えば特許文献１には、着用者の腹側を覆う腹側外装シートの横方向両側縁と、着用者の背側を覆う背側外装シートの横方向両側縁とが接合された筒状の胴回り部、及び、吸収性本体を備えるパンツ型紙おむつが開示されている。  
特許文献１のおむつでは、背側外装シートが、接合部の下側に延出する背側延出部を有している。さらに、背側延出部は、吸収性本体の横方向の両外側に延出した臀部カバー部を有しており、臀部カバー部には、横方向に沿って伸長状態で固定された弾性部材が上下方向に間隔を空けて複数設けられている。そのため、着用者の臀部を臀部カバー部で被覆でき、また、弾性部材によって臀部カバー部の膨らみや、めくれを防ぎ、臀部カバー部を着用者の臀部にフィットさせることができる。
【先行技術文献】
【特許文献】
【０００３】
【特許文献１】特開２００８−２１２２４９号
【発明の概要】
【発明が解決しようとする課題】
【０００４】
しかしながら、特許文献１のおむつでは、吸収性本体の片側に延出する臀部カバー部の幅が吸収性本体の幅よりも小さいため、着用対象は子供となる。大人用のおむつは子供用のおむつに比べて、臀部カバー部の幅を大きくする必要がある。また、大人の臀部は湾曲度合いも大きくなる。そのため、子供用おむつに比べて、大人用おむつの方が、臀部カバー部を着用者にフィットさせることが難しい。ゆえに、特許文献１のおむつを大人用とした場合、横方向に沿う弾性部材だけでは臀部カバー部を着用者にフィットさせることが難しい。
【０００５】
本発明は、上記のような従来の問題に鑑みてなされたものであって、その目的は、着用者の臀部にフィットするパンツ型吸収性物品を提供すること。
【課題を解決するための手段】
【０００６】
上記目的を達成するための主たる発明は、上下方向と左右方向と前後方向を有し、吸収性本体と、腹側胴回り部材と、背側胴回り部材とを備え、前記左右方向の両側端部において、前記腹側胴回り部材及び前記背側胴回り部材が一対の接合部によって接合されているパンツ型吸収性物品であって、前記パンツ型吸収性物品を前記左右方向に伸長させた状態において、前記吸収性本体の前記左右方向の一方側の側端から、前記背側胴回り部材の前記左右方向の前記一方側の側端までの長さは、前記吸収性本体の前記左右方向の長さよりも長く、前記背側胴回り部材は、前記接合部よりも下側に延出する延出部を有し、前記延出部には、傾斜弾性部材と、横弾性部材が設けられており、前記傾斜弾性部材は、前記延出部の前記左右方向の側端部において、前記左右方向に対して傾いて配置され、前記横弾性部材は、前記左右方向に沿って配置され、前記前後方向に沿って見た場合に、前記傾斜弾性部材と前記横弾性部材は重なり部を有していることを特徴とするパンツ型吸収性物品である。  
本発明の他の特徴については、本明細書及び添付図面の記載により明らかにする。
【発明の効果】
【０００７】
本発明によれば、着用者の臀部にフィットするパンツ型吸収性物品を提供することができる。
【図面の簡単な説明】
【０００８】
【図１】パンツ型使い捨ておむつ１（以下「おむつ」）を前側から見た概略正面図である。
【図２】展開且つ伸長状態のおむつ１を非肌側から見た概略平面図である。
【図３】図２のＡＡ線の概略断面図である。
【図４】おむつ１の外側延出部３２２における傾斜弾性部材３７及び横弾性部材３８の配置について説明する図である。
【図５】背側胴回り部材３０における胴回り弾性部材３６及び横弾性部材３８の配置について説明する図である。
【図６】第１変形例のおむつ１を展開且つ伸長させた状態について、肌側から見た概略平面図である。
【図７】第２変形例のおむつ１を展開且つ伸長させた状態について、肌側から見た概略平面図である。
【発明を実施するための形態】
【０００９】
本明細書及び添付図面の記載により、少なくとも以下の事項が明らかとなる。
上下方向と左右方向と前後方向を有し、吸収性本体と、腹側胴回り部材と、背側胴回り部材とを備え、前記左右方向の両側端部において、前記腹側胴回り部材及び前記背側胴回り部材が一対の接合部によって接合されているパンツ型吸収性物品であって、前記パンツ型吸収性物品を前記左右方向に伸長させた状態において、前記吸収性本体の前記左右方向の一方側の側端から、前記背側胴回り部材の前記左右方向の前記一方側の側端までの長さは、前記吸収性本体の前記左右方向の長さよりも長く、前記背側胴回り部材は、前記接合部よりも下側に延出する延出部を有し、前記延出部には、傾斜弾性部材と、横弾性部材が設けられており、前記傾斜弾性部材は、前記延出部の前記左右方向の側端部において、前記左右方向に対して傾いて配置され、前記横弾性部材は、前記左右方向に沿って配置され、前記前後方向に沿って見た場合に、前記傾斜弾性部材と前記横弾性部材は重なり部を有していることを特徴とするパンツ型吸収性物品。
【００１０】
このようなパンツ型吸収性物品によれば、延出部の左右方向の長さが長く、延出部の面積が広いため、臀部の大きい着用者の臀部も被覆できる。換言すると、吸収性本体に比べて剛性が低く柔らかい延出部によって、着用者の臀部の広い部分を被覆できるので、着け心地が良い。また、傾斜弾性部材によって、延出部の左右方向の側端部が着用者の臀部の輪郭に沿ってフィットするため、つまり臀部の頂点部よりも外側に弾性部材が位置するため、延出部の面積が広くとも延出部がめくれたりすることなく、延出部で着用者の臀部を包むことができる。特に、傾斜弾性部材と横弾性部材の重なり部によって、延出部の左右方向の側端部の剛性が高まり、延出部の側端部が着用者の臀部の輪郭に沿ってフィットした状態が維持されやすい。よって、着用者が動いても延出部がめくれたり位置ずれしたりしにくい。また、延出部の面積が広くとも、横弾性部材によって延出部は浮くことなく着用者の臀部に沿って密着する。
【００１１】
かかるパンツ型吸収性物品であって、前記横弾性部材は、前記傾斜弾性部材よりも前記左右方向の外側に延出している、ことが望ましい。
【００１２】
このようなパンツ型吸収性物品によれば、傾斜弾性部材と横弾性部材の重なり部によって、延出部の左右方向の側端部の剛性が高まり、延出部の側端部が着用者の臀部の輪郭に沿ってフィットした状態がより維持されやすくなる。また、傾斜弾性部材よりも左右方向の外側の部位が横弾性部材によって収縮するため、延出部の左右方向の側端部がフリル形状となる。よって、延出部の側端縁の肌当たりが良くなる。また、視覚的にも柔らかい印象をユーザーに付与できる。
【００１３】
かかるパンツ型吸収性物品であって、前記横弾性部材は、前記延出部の前記左右方向の側端まで達している、ことが望ましい。
【００１４】
このようなパンツ型吸収性物品によれば、傾斜弾性部材よりも左右方向の外側の領域において、横弾性部材の伸縮力がより大きく作用するようになり、フリルの凹凸が大きくなる。これにより、着用時における肌あたりがより良好となり、また、大きなフリルによってユーザーの視覚的印象をより向上させることができる。
【００１５】
かかるパンツ型吸収性物品であって、前記延出部において、複数の前記横弾性部材が前記上下方向に間隔を空けて配置されており、前記傾斜弾性部材の下端は、最も下側の前記横弾性部材よりも下側に延出している、ことが望ましい。
【００１６】
このようなパンツ型吸収性物品によれば、傾斜弾性部材が下側まで延びているので、延出部の下側部分のめくれや位置ずれを抑制しやすく、延出部の下側部分を着用者の臀部にフィットさせることができる。
【００１７】
かかるパンツ型吸収性物品であって、前記傾斜弾性部材は、前記左右方向の外側から内側に向かって前記上下方向の下側に傾斜しており、前記傾斜弾性部材は、前記吸収性本体の前記左右方向の側端まで達していない、ことが望ましい。
【００１８】
このようなパンツ型吸収性物品によれば、延出部の下端部において、傾斜弾性部材が配置されていない領域が存在することにより、吸収性本体に対して傾斜弾性部材による伸縮力が直接作用しにくくなり、着用時において吸収性本体が引っ張られて位置ずれが生じることを抑制できる。また、着用者が脚を動かした場合であっても、臀部に配置した傾斜弾性部材のラインがよれて延出部が捲れ上がってしまうことを抑制できる。
【００１９】
かかるパンツ型吸収性物品であって、前記パンツ型吸収性物品の包装状態において、前記腹側胴回り部材及び前記背側胴回り部材が、前記上下方向に沿う折り位置にて、前記左右方向の内側に折られており、前記前後方向に沿って見た場合に、前記傾斜弾性部材と前記折り位置は重なっていない、ことが望ましい。
【００２０】
このようなパンツ型吸収性物品によれば、傾斜弾性部材に上下方向に沿う折り癖が付いてしまうことが抑制され、外側延出部に適切な伸縮性を付与することができる。したがって、傾斜弾性部材によって、延出部の側端部を着用者の臀部の輪郭に沿ってフィットさせやすくすることができる。
【００２１】
かかるパンツ型吸収性物品であって、前記背側胴回り部材は、前記延出部よりも上側に胴回り部を有し、前記胴回り部には、前記左右方向に沿う胴回り弾性部材が設けられており、前記胴回り弾性部材は、前記接合部よりも前記左右方向の内側に配置されている、ことが望ましい。
【００２２】
このようなパンツ型吸収性物品によれば、溶着等により剛性が高くなっている接合部に胴回りの弾性部材が重なることで接合部の剛性がさらに高まってしまうことを抑制でき、着け心地の低下を防止できる。
【００２３】
かかるパンツ型吸収性物品であって、前記胴回り部において、複数の前記胴回り弾性部材が前記上下方向に間隔を空けて配置されており、前記延出部において、複数の前記横弾性部材が前記上下方向に間隔を空けて配置されており、前記上下方向に隣り合う前記胴回り弾性部材の前記上下方向の間隔が、前記上下方向に隣り合う前記横弾性部材の前記上下方向の間隔と同じである、ことが望ましい。
【００２４】
このようなパンツ型吸収性物品によれば、異なる２種類の弾性部材を等ピッチで配置することが可能なため、製造工程において、各弾性部材を配置する際の位置調整を単純化することができる。したがって、背側胴回り部材の製造が容易になり、また、製造コストの上昇を抑制することができる。
【００２５】
かかるパンツ型吸収性物品であって、前記胴回り部において、複数の前記胴回り弾性部材が前記上下方向に間隔を空けて配置されており、前記延出部において、複数の前記横弾性部材が前記上下方向に間隔を空けて配置されており、前記上下方向に隣り合う前記横弾性部材の前記上下方向の間隔は、前記上下方向に隣り合う前記胴回り弾性部材の前記上下方向の間隔よりも広い,ことが望ましい。
【００２６】
このようなパンツ型吸収性物品によれば、横弾性部材の上下方向のピッチが広くなるため、延出部の単位面積当たりに作用する横弾性部材による伸縮力が小さくなる。したがって、着用時において、延出部による締め付け力が小さくなり、臀部の締め付けが強くなりすぎず、着用者に適度なフィット感を与えることができる。
【００２７】
かかるパンツ型吸収性物品であって、前記胴回り部において、複数の前記胴回り弾性部材が前記上下方向に間隔を空けて配置されており、前記延出部において、複数の前記横弾性部材が前記上下方向に間隔を空けて配置されており、前記上下方向に隣り合う前記横弾性部材の前記上下方向の間隔は、前記上下方向に隣り合う前記胴回り弾性部材の前記上下方向の間隔よりも狭い、ことが望ましい。
【００２８】
このようなパンツ型吸収性物品によれば、横弾性部材の上下方向のピッチが狭くなるため、延出部の全体に横弾性部材による伸縮力が作用しやすくなる。したがって、延出部が着用者の臀部に沿って面でフィットしやすくなり、着用時における延出部の浮き上がりを抑制しやすくなる。
【００２９】
かかるパンツ型吸収性物品であって、前記延出部において、複数の前記傾斜弾性部材が前記左右方向に間隔を空けて配置されており、前記左右方向の最も外側において、前記左右方向に隣り合う前記傾斜弾性部材の前記左右方向の間隔の最大値が、前記左右方向の前記最も外側よりも内側において、前記左右方向に隣り合う前記傾斜弾性部材の前記左右方向の間隔の最小値よりも小さい、ことが望ましい。
【００３０】
このようなパンツ型吸収性物品によれば、延出部の左右方向の最も外側の外縁部付近に配置されている傾斜弾性部材の間隔が狭くなっていることにより、外縁部において傾斜弾性部材の伸縮力が集中して作用しやすくなる。したがって、側端部が着用者の臀部の輪郭にフィットしやすくなり、フィット性をより向上させることができる。
【００３１】
かかるパンツ型吸収性物品であって、前記延出部において、複数の前記横弾性部材が前記上下方向に間隔を空けて配置されており、
複数の前記横弾性部の各々について、前記傾斜弾性部材から前記左右方向の外側に延出している長さが異なる、ことが望ましい。
【００３２】
このようなパンツ型吸収性物品によれば、横弾性部材の伸縮力によって、背側胴回り部材の外縁部が左右方向の内側に引っ張られる力が一様ではなくなるため、当該外縁部に形成されるフリルの形状や凹凸の大きさが不規則になる。これにより、デザイン性が高まり、また、フリルが柔軟であることを着用者に印象付け、実際に着用時の肌当たりを柔らかなものとすることができる。
【００３３】
かかるパンツ型吸収性物品であって、前記延出部の前記左右方向の一方側において、前記横弾性部材が前記傾斜弾性部材よりも前記左右方向の一方側に延出している長さと、前記延出部の前記左右方向の他方側において、前記横弾性部材が前記傾斜弾性部材よりも前記左右方向の他方側に延出している長さとが異なる、ことが望ましい。
【００３４】
このようなパンツ型吸収性物品によれば、延出部の左側外縁部と右側外縁部とで、横弾性部材が傾斜弾性部材よりも左右方向の外側に延出している長さが異なることにより、左右のフリルの形状や大きさが不規則に形成される。これにより、フリルを含めた延出部の全体的なデザイン性が高まり、また、着用時における肌当たりの柔らかさを着用者に想起させやすくなる。
【００３５】
かかるパンツ型吸収性物品であって、自然状態の前記パンツ型吸収性物品において、前記延出部は、前記傾斜弾性部材よりも前記左右方向の外側に張り出した部位を有する、ことが望ましい。
【００３６】
このようなパンツ型吸収性物品によれば、延出部の一部が傾斜弾性部材よりも左右方向の外側に張り出していることにより、延出部の面積が大きく見え、かつ、臀部が包み込まれるように見える。これにより、着用時において着用者の臀部がはみ出すことなくしっかりと被覆されるという安心感をユーザーに与えることができる。
【００３７】
＝＝＝実施形態＝＝＝
以下、本発明に係るパンツ型吸収性物品として、大人向けのパンツ型使い捨ておむつを例に挙げて実施形態を説明する。但し、本発明に係るパンツ型吸収性物品はおむつに限定されず、例えばショーツ型の生理用ナプキン等としても利用可能である。
【００３８】
＜＜パンツ型使い捨ておむつの基本構成＞＞
図１は、パンツ型使い捨ておむつ１（以下「おむつ」）を前側から見た概略正面図である。図２は、展開且つ伸長状態のおむつ１を非肌側から見た概略平面図である。図３は、図２のＡＡ線の概略断面図である。
【００３９】
なお、おむつ１の伸長状態とは、おむつ１に生じていた皺が実質的に視認されなくなる程におむつ１を伸長させた状態である。具体的には、おむつ１を構成する各部材（例えば後述する肌側シート２１，３１等）の寸法がその部材単体の寸法と一致又はそれに近い長さになるまで伸長させた状態である。
【００４０】
おむつ１は、図１のパンツ型の状態において、互いに直交する上下方向と左右方向と前後方向とを有する。上下方向において、着用者の胴側を上側とし、着用者の股下側を下側とする。前後方向において、着用者の腹側を前側とし、着用者の背側を後側とする。また、図３に示すように、おむつ１を構成する各部材が積層された方向を厚さ方向とする。厚さ方向において、着用者に接する側を「肌側」とし、その反対側を「非肌側」とする。
【００４１】
おむつ１は、吸収性本体１０と、着用者の腹側を覆う腹側胴回り部材２０と、着用者の背側を覆う背側胴回り部材３０の３つの部材から構成された３ピースタイプのおむつである。
【００４２】
図２の展開状態のおむつ１において、腹側胴回り部材２０及び背側胴回り部材３０は、それらの長手方向がおむつ１の左右方向に沿うように配置されている。また、吸収性本体１０の長手方向の一方側の端部に、腹側胴回り部材２０の横方向の中央部が配置され、吸収性本体１０の長手方向の他方側の端部に、背側胴回り部材３０の横方向の中央部が配置されている。
【００４３】
おむつ１は、図２の展開状態から、吸収性本体１０の長手方向の略中央で二つ折りされ、左右方向の両側端部において、腹側胴回り部材２０及び背側胴回り部材３０が一対の接合部２によって接合されることにより、図１のパンツ型となる。パンツ型のおむつ１には、胴回り開口部ＢＨ、及び、一対の脚回り開口部ＬＨが形成されている。
【００４４】
吸収性本体１０は、吸収体４０と、吸収体４０よりも厚さ方向の肌側に配されたトップシート１１と、吸収体４０よりも厚さ方向の非肌側に配されたバックシート１２、及び、外装シート１３とを有する。
【００４５】
トップシート１１は、液透過性シートであり、親水性のスパンボンド不織布や親水性のエアスルー不織布等を例示できる。バックシート１２は、液不透過性シートであり、ポリエチレンフィルム等を例示できる。外装シート１３としては、疎水性のＳＭＳ不織布等を例示できる。なお、図示しないが、例えば、外装シート１３を肌側に折り返して糸状弾性部材を配する等して、吸収性本体１０の横方向の両側部に、肌側に起立可能な立体ギャザー部を設けても良い。
【００４６】
吸収体４０は、尿等の排泄物を吸収して保持する吸収性コアを有する。吸収性コアとしては、高吸収性ポリマー（ＳＡＰ）を含むパルプ等の液体吸収性繊維が所定の形状（ここでは砂時計形状）に成形されたものを例示できる。なお、ティッシュペーパー等の液透過性のコアラップシートによって吸収性コアを覆っても良い。
【００４７】
腹側胴回り部材２０は、図２の伸長状態において長方形状の部材である。背側胴回り部材３０は、図２の伸長状態において長方形の下方に略逆台形を組み合わせた形状の部材であり、腹側胴回り部材２０に比べて平面形状が大きい。
【００４８】
具体的には、背側胴回り部材３０は、上下方向において接合部２と重複する長方形状の「胴回り部３１」（図２に示すａ，ｂ，ｃ，ｄで囲まれた部位）と、上下方向において接合部２の下端２ａよりも下側に延出する略逆台形状の「延出部３２」（図２に示すｃ，ｄ，ｅ，ｆで囲まれた部位）とを有する。そのため、３ピースタイプのおむつ１であっても、延出部３２によって着用者の臀部を被覆できる。
【００４９】
さらに、背側胴回り部材３０の延出部３２は、吸収性本体１０と前後方向（厚さ方向）に重複する「中央延出部３２１」と、吸収性本体１０よりも横方向の両外側に延出する一対の「外側延出部３２２」とを有する。
【００５０】
また、延出部３２の下方の外縁３２ａは、左右方向の中央部において、左右方向に沿う「直線部３２ａ１」と、左右方向の両端部において、下方に向かって左右方向の内側に傾斜した「傾斜部３２ａ２」とを有する。なお、直線部３２ａ１は、吸収性本体１０よりも横方向の両外側に延出している。
【００５１】
そして、腹側胴回り部材２０は、図３に示すように、肌側シート２１と、非肌側シート２２と、カバーシート２３とを有し、複数の胴回り弾性部材２４がそれぞれ左右方向に沿って配置されている。複数の胴回り弾性部材２４は、腹側胴回り部材２０において、上下方向に間隔を空けて並んで配置されている。
【００５２】
背側胴回り部材３０は、肌側シート３３と、非肌側シート３４と、カバーシート３５とを有する。また、背側胴回り部材３０の胴回り部３１には、複数の胴回り弾性部材３６がそれぞれ左右方向に沿って配置されている。延出部３２には、複数の傾斜弾性部材３７がそれぞれ左右方向に対して傾いて配置されており、複数の横弾性部材３８がそれぞれ左右方向に沿って配置されている。
【００５３】
詳しくは、複数の胴回り弾性部材３６は、胴回り部３１において、上下方向に間隔を空けて並んで配置されている。複数の傾斜弾性部材３７（図２では３本）は、延出部３２の左右方向の側端部において、延出部３２の外縁３２ａの傾斜部３２ａ２に沿って、左右方向に間隔を空けて並んで配置されている。つまり、傾斜弾性部材３７は、下方に向かって左右方向の内側に傾斜して配置されている。複数の横弾性部材３８（図２では５本）は、延出部３２において、上下方向に間隔を空けて並んで配置されている。
【００５４】
そして、肌側シート２１，３３、及び、非肌側シート２２，３４は、吸収性本体１０よりも厚さ方向の非肌側に配置されている。カバーシート２３，３５は、肌側シート２１，３３及び非肌側シート２２，３４よりも縦方向の長さが短く、吸収性本体１０よりも厚さ方向の肌側に配置され、吸収性本体１０の長手方向の端部を覆っている。これらのシート２１〜２３，３３〜３５としては、ＳＭＳ不織布等の柔軟なシートを例示できる。
【００５５】
また、胴回り弾性部材２４，３６及び横弾性部材３８は、左右方向に伸縮可能なように、左右方向に伸長した状態で、肌側シート２１，３３と非肌側シート２２，３４の間に接着剤（例えばホットメルト接着剤等）で固定されている。傾斜弾性部材３７も、左右方向に対して傾いた方向に伸縮可能なように、その傾いた方向に伸長した状態で、肌側シート２１，３３と非肌側シート２２，３４の間に接着剤で固定されている
【００５６】
図には、各弾性部材２４，３６〜３８の伸縮部（伸長状態でシートに固定された有効長部分）のみを示し、図示しない部分に、各弾性部材２４，３６〜３８の非伸縮部が存在していても良い。
【００５７】
図２では、上下方向に吸収体４０と重複する背側の胴回り弾性部材３６及び横弾性部材３８は、左右方向の中央部において弾性部材３６，３８の伸縮部が非存在となっている。このように、前後方向（厚さ方向）に吸収性本体１０と重複する部位において、弾性部材３６，３８の伸縮部が非存在であることにより、吸収性本体１０の左右方向の収縮を抑制できる。
【００５８】
なお、各弾性部材２４，３６〜３８としては、ゴムやスパンデックス等の糸状の弾性部材を例示できるが、これに限らず、伸縮性不織布や伸縮性フィルム等のシート状の弾性部材であっても良い。
【００５９】
＜＜背側胴回り部材の延出部について＞＞
おむつ１は、背側胴回り部材３０の上下方向の下側（股下側）の領域に延出部３２を有しており、おむつ１の着用時には該延出部３２によって着用者の臀部が覆われる。そして、おむつ１を左右方向に伸長させた状態において、延出部３２のうち吸収性本体１０と重複していない領域である外側延出部３２２の左右方向の幅は、吸収性本体１０と重複している領域である中央延出部３２１の左右方向の幅よりも長い。言い換えると、図２のようにおむつ１を左右方向に伸長させた状態において、吸収性本体１０の左側端１０ｅｌと背側胴回り部材３０の左側端３０ｅｌとの間の左右方向における距離Ｗ３２２ｌは、吸収性本体１０の左側端１０ｅｌと右側端１０ｅｒとの間の距離Ｗ１０よりも長い（Ｗ３２２ｌ＞Ｗ１０）。同様に、吸収性本体１０の右側端１０ｅｒと背側胴回り部材３０の右側端３０ｅｒとの間の左右方向における距離Ｗ３２２ｒは、吸収性本体１０の左側端１０ｅｌと右側端１０ｅｒとの間の距離Ｗ１０よりも長い。（Ｗ３２２ｒ＞Ｗ１０）。したがって、おむつ１の着用対象者である大人の広い臀部であってもしっかりと被覆することができる。
【００６０】
また、外側延出部３２２の外縁３２ａのうち傾斜部３２ａ２に沿った領域には、傾斜弾性部材３７が設けられており、当該傾斜弾性部材３７によって付与される伸縮性により、外縁３２ａが着用者の臀部の輪郭に沿ってフィットしやすくなっている。つまり、本実施形態のおむつ１では、着用時において、傾斜弾性部材３７が着用者の臀部の頂点よりも外側に位置するため、外側延出部３２２の面積が広くても（左右方向の距離Ｗ３２２ｌ，Ｗ３２２ｒが長くても）、外側延出部３２２がめくれることなく、着用者の臀部を包み込むことができる。
【００６１】
さらに、前後方向（厚さ方向）に見た場合に、傾斜弾性部材３７と横弾性部材３８とが外側延出部３２２の左右方向の側端部において重複しており（図４参照）、両弾性部材３７，３８が重複する両側端部における外側延出部３２２の剛性が高くなっている。これにより、外側延出部３２２の外縁３２ａが着用者の臀部の輪郭に沿ってフィットした状態が維持されやすくなり、着用者が身体を動かした場合であっても、外側延出部３２２がめくれたり位置ずれしたりしにくい。
【００６２】
おむつ１では、延出部３２がこのような構成を有していることにより、着用者の臀部を広く覆いつつも、良好なフィット性を実現することが可能である。
【００６３】
また、おむつ１の延出部３２において、横弾性部材３８は、傾斜弾性部材３７よりも左右方向の外側に延出している。図４は、おむつ１の外側延出部３２２における傾斜弾性部材３７及び横弾性部材３８の配置について説明する図である。同図４では、左右方向右側の外側延出部３２２の外縁３２ａ付近を拡大して表している。図４に示されるように、横弾性部材３８は傾斜弾性部材３７よりも左右方向の外側に延出した部分を有している。
【００６４】
傾斜弾性部材３７よりも左右方向の外側の領域では、背側胴回り部材３０の肌側シート３３と非肌側シート３４とがホットメルト式接着剤等により厚さ方向に接合され、その間に横弾性部材３８の延出した部分が配置されている。そのため、外側延出部３２２のうち傾斜弾性部材３７よりも左右方向の外側の領域では、横弾性部材３８の伸縮力の作用により、該横弾性部材３８が配置されている部分が左右方向の内側に引っ張られる。したがって、外側延出部３２２（延出部３２）における傾斜弾性部材３７よりも左右方向の外側の領域（すなわち外縁部）のうち、横弾性部材３８が配置されている部分は左右方向の内側に収縮しやすく、横弾性部材３８が配置されていない領域は左右方向の内側に収縮しにくくなる。その結果、外側延出部３２２の外縁３２ａは、図４に示されるように左右方向に凹凸を有するフリル状に変形する。外縁３２ａがフリル形状となることにより、おむつ１着用時における外縁３２ａの肌あたりが良くなり、着用者に不快感を与えにくくなる。また、脚回り開口部ＬＨに沿って形成されるフリル形状により、視覚的にも柔らかい印象をユーザーに感じさせることができる。
【００６５】
そして、本実施形態のおむつ１では、傾斜弾性部材３７よりも左右方向の外側に延出した横弾性部材３８が、延出部３２の左右方向の外側の端（外側延出部３２２の外縁３２ａ）まで達している。これにより、傾斜弾性部材３７よりも左右方向の外側の領域において、横弾性部材３８の伸縮力をより大きく作用させると共に、該伸縮力によって外側延出部３２２の外縁３２ａが左右方向の内側に引っ張られやすくなるため、フリルの凹凸が大きくなる。したがって、着用時における肌当たりがより良好となり、また、大きなフリルによってユーザーの視覚的印象をより向上させることができる。
【００６６】
なお、外側延出部３２２の左右方向の全体に亘って横弾性部材３８による伸縮力が作用することにより、おむつ１の自然状態においては、傾斜弾性部材３７及びフリル全体が、図１のように左右方向の内側かつ厚さ方向の肌側に折れ曲がった状態となる。そして、外側延出部３２２（延出部３２）のうち一部の領域が傾斜弾性部材３７よりも左右方向の外側に張り出した状態となる。すなわち、おむつ１の自然状態において、延出部３２は傾斜弾性部材３７よりも左右方向の外側に張り出した張り出し部３２оｈを有し、外観上、張り出し部３２оｈが延出部３２の左右方向の外側端を形成する（図１参照）。この張り出し部３２оｈが傾斜弾性部材３７よりも左右方向の外側に張り出していることにより、延出部３２（外側延出部３２２）の面積が大きく見え、また、臀部が包み込まれるように見える。これにより、おむつ１の着用時に着用者の臀部がはみ出すことなくしっかりと被覆されるという安心感をユーザーに与えることができる。
【００６７】
ここで、おむつ１の「自然状態」とは、おむつ１を所定時間放置した時の状態である。例えば、おむつ１の腹側胴回り部材２０及び背側胴回り部材３０を左右方向の両外側に引っ張り、胴回り部材２０，３０を「伸長した状態」として、この伸長状態を３０秒間程度継続させた後、おむつ１の引っ張りを解除して机等の平面に置く。そして、このような平面平置きで５分間経過させた状態を自然状態とする。
【００６８】
また、図４に示されるように、外側延出部３２２（延出部３２）において、横弾性部材３８は上下方向に間隔を空けて複数配置されているが、このうち最も下側に配置されている横弾性部材３８の位置は、傾斜弾性部材３７の下端位置よりも高い。言い換えると、上下方向において、傾斜弾性部材３７は、最も下側の横弾性部材３８よりも下側に延出している。傾斜弾性部材３７が横弾性部材３８よりも下側まで延出していることにより、外側延出部３２２のより下方まで傾斜弾性部材３７による伸縮力が作用しやすく、おむつ１着用時において外側延出部３２２の下側部分のめくれや位置ずれが抑制されやすくなる。また、傾斜弾性部材３７が着用者の臀部の輪郭に沿って下側まで配置されることにより、着用者の臀部におけるフィット性をより向上させることができる。
【００６９】
また、おむつ１において、傾斜弾性部材３７は、左右方向の外側から内側に向かって上下方向の下側に傾斜するように配置されているが、該傾斜弾性部材３７は吸収性本体１０の左右方向の両側端１０ｅｌ，１０ｅｒまで達していない。すなわち、傾斜弾性部材３７の左右方向内側の端３７ｅｉと吸収性本体１０の左右方向の外側端１０ｅｌ（１０ｅｒ）との間には所定の間隔が設けられている（図２参照）。このように、傾斜弾性部材３７が厚さ方向において吸収性本体１０と重複していないことにより、吸収性本体１０に対して傾斜弾性部材３７による伸縮力が作用しにくくなる。仮に、吸収性本体１０と傾斜弾性部材３７とが重複していたとすると、吸収性本体１０が傾斜弾性部材３７の傾斜に沿って斜め方向に引っ張られ、おむつ１の着用時において吸収性本体１０が着用者の股下部からずれやすくなるおそれがある。また、延出部３２も吸収性本体１０に沿って引き上げられ、臀部が延出部３２によって被覆されにくくなる場合がある。これに対して、本実施形態のおむつ１では、吸収性本体１０に対して傾斜弾性部材３７による引っ張り力が作用しにくく、おむつ１の着用時に吸収性本体１０の位置ずれを抑制できる。また、着用者の臀部が延出部３２によって被覆されやすくなり、着用者が脚を動かした場合であっても、臀部に配置された傾斜弾性部材３７のラインがよれて延出部３２がめくれ上がってしまうことを抑制することができる。
【００７０】
ところで、おむつ１は、工場等で製造された後に包装され、所定の包装状態で市場に流通する。具体的に、おむつ１を包装する際には、自然状態（パンツ型）のおむつ１について、上下方向（図２の長手方向）に沿った折り位置ＦＬにて腹側胴回り部材２０及び背側胴回り部材３０を左右方向の外側から内側に折り込んだ後、左右方向に沿った折り位置ＦＬ２（図２参照）にて上下方向に約半分の高さとなるように折り畳み、パッケージングする。このように折り畳まれた状態のおむつ１を前後方向に沿って見た場合に、傾斜弾性部材３７と折り位置ＦＬ（及びＦＬ２）とが重ならないように、傾斜弾性部材３７が配置されている。これにより、折り位置ＦＬによって傾斜弾性部材３７が折り曲げられることなくおむつ１を市場に流通させることができる。仮に、傾斜弾性部材３７が折り位置ＦＬと重複していた場合、傾斜弾性部材３７は折り位置ＦＬにて折り曲げられた状態で市場に流通することとなる。この場合、傾斜弾性部材３７に折り癖が付きやすくなり、そのように折り癖が付いた傾斜弾性部材３７では、外側延出部３２２（延出部３２）に適切な伸縮性を付与することができなくなるおそれがある。これに対して、本実施形態のおむつ１では、傾斜弾性部材３７が折り位置ＦＬからずれて配置されているため、折り癖が付くことが抑制され、外側延出部３２２（延出部３２）に適切な伸縮性を付与することができる。したがって、傾斜弾性部材３７によって、外側延出部３２２の側端部を着用者の臀部の輪郭に沿ってフィットさせやすくすることができる。
【００７１】
次に、図５は、背側胴回り部材３０における胴回り弾性部材３６及び横弾性部材３８の配置について説明する図である。同図５は、左右方向及び上下方向に伸長させた状態の背側胴回り部材３０（胴回り部３１及び延出部３２）の右側の領域について表している。図５に示されるように、背側胴回り部材３０のうち胴回り部３１には、複数の胴回り弾性部材３６が、上下方向に間隔を空けて配置されているが、これらの胴回り弾性部材３６は、接合部２よりも左右方向の内側に配置されている。すなわち、胴回り弾性部材３６の左右方向の外側端３６ｅоは、接合部２よりも左右方向の内側に位置しており、胴回り弾性部材３６と接合部２とは互いに重複していない。この接合部２は溶着等の接合手段によって剛性が高くなっているため、仮に、胴回り弾性部材３６が接合部２と重複していた場合、接合部２の剛性がより高くなり、おむつ１の着用時において着用者に不快感を与えやすくなる。これに対して、本実施形態では、接合部２と重複しないように胴回り弾性部材３６が配置されているため、接合部２の剛性が高まってしまうことが抑制され、おむつ１の着け心地の低下を防止することができる。
【００７２】
また、図５で、上下方向に隣り合う２つの胴回り弾性部材３６，３６の上下方向における間隔をｄ３６とし、上下方向に隣り合う２つの横弾性部材３８，３８の上下方向における間隔をｄ３８とすると、間隔ｄ３６と間隔ｄ３８とが等しくなっている（ｄ３６＝ｄ３８）。つまり、おむつ１では、胴回り弾性部材３６と横弾性部材３８とが上下方向に等ピッチで配置されている。このように２種類の弾性部材を等ピッチで配置することが可能なため、おむつ１（背側胴回り部材３０）の製造工程において、各弾性部材３６，３８を配置する際の位置調整を単純化することができる。したがって、背側胴回り部材３０の製造が容易になり、また、製造コストの上昇を抑制することができる。
【００７３】
一方、背側胴回り部材３０において、横弾性部材３８，３８の上下方向における間隔ｄ３８が、胴回り弾性部材３６，３６の上下方向における間隔ｄ３６よりも大きくなるようにしても良い（ｄ３８＞ｄ３６）。この場合、背側胴回り部材３０のうち延出部３２（外側延出部３２２）において横弾性部材３８の上下方向のピッチが広くなるため、該延出部３２の単位面積当たりに作用する横弾性部材３８による伸縮力が小さくなる。したがって、おむつ１の着用時において、着用者の臀部を覆う外側延出部３２２による締め付け力が小さくなる。これにより、臀部における締め付けが強くなりすぎず、おむつ１の着け心地の低下を抑制すると共に、着用者に適度なフィット感を与えることができる。
【００７４】
逆に、背側胴回り部材３０において、横弾性部材３８，３８の上下方向における間隔ｄ３８が、胴回り弾性部材３６，３６の上下方向における間隔ｄ３６よりも小さくなるようにしても良い（ｄ３８＜ｄ３６）。上述のように横弾性部材３８の上下方向のピッチを広くすると、締め付け力を弱くすることができる一方で、着用者の身体（臀部）が小さい場合等には、外側延出部３２２が着用者の臀部から浮き上がったり、めくれが生じたりする場合がある。この場合、横弾性部材３８の上下方向のピッチを狭くして外側延出部３２２の全体に横弾性部材３８による伸縮力を作用させやすくすることで外側延出部３２２が着用者の臀部に沿って面でフィットしやすくなり、おむつ１着用時における外側延出部３２２の浮き上がりを抑制しやすくなる。
【００７５】
このように、おむつ１では、着用対象者の身体（臀部）の大きさや使用態様等に応じて、胴回り弾性部材３６及び横弾性部材３８の上下方向ピッチをそれぞれ調整することにより、最適なフィット性を実現することができる。例えば、着用者がおむつ１を着用したまま長時間ベッドで寝ているような使用態様であれば、横弾性部材３８のピッチが広いおむつ１を選択することにより、臀部における過度な締め付けが抑制され、着用者に不快感を生じさせ難くすることができる。一方、着用者がおむつ１を着用した状態で通常の生活を送るような使用態様であれば、横弾性部材３８のピッチが狭いおむつ１を選択することにより、着用者が身体を動かした場合であっても外側延出部３２２の位置ずれやめくれが生じ難くなり、着用者に良好なフィット性を感じさせることができる。
【００７６】
また、おむつ１では、複数の傾斜弾性部材３７が左右方向に間隔を空けて配置されているが、左右方向に隣り合う２つの傾斜弾性部材３７の間隔は一定ではない。図５では、左右方向の外側から内側に向かって３本の傾斜弾性部材３７ａ，３７ｂ，３７ｃが設けられているが、傾斜弾性部材３７ａと３７ｂとの左右方向の間隔ｗ３７ａｂは一定ではなく、傾斜弾性部材３７ｂと３７ｃとの左右方向の間隔ｗ３７ｂｃも一定ではない。すなわち、傾斜弾性部材３７ａ〜３７ｃは、各々外側延出部３２２の傾斜部３２ａ２（外縁３２ａ）に沿って配置されつつも、厳密に傾斜部３２ａ２と平行に配置されているのではなく、傾斜部３２ａ２の傾斜方向に対して蛇行するように配置されている。
【００７７】
そして、おむつ１では、図５における間隔ｗ３７ａｂの最大値が、間隔ｗ３７ｂｃの最小値よりも小さくなっている。すなわち、左右方向に隣り合う傾斜弾性部材３７の左右方向の間隔のうち、最も外側の間隔の最大値が、他の位置における間隔の最小値よりも小さくなっている。このように、傾斜部３２ａ２の左右方向の外側端（外縁部）に最も近い位置に配置されている傾斜弾性部材３７ａと３７ｂとの間隔が狭くなっていることにより、当該側端部において傾斜弾性部材３７（３７ａ，及び３７ｂ）の伸縮力が集中して作用しやすくなる。つまり、延出部３２の外縁部において、単位面積あたりに作用する収縮力が大きくなる。したがって、おむつ１の着用時において、外縁部が着用者の臀部の輪郭にフィットしやすくなり、フィット性をより向上させることができる。
【００７８】
また、おむつ１では、左右方向の最も外側に配置されている傾斜弾性部材３７ａが傾斜部３２ａ２の傾斜方向に対して蛇行して配置されていることにより、傾斜弾性部材３７ａと傾斜部３２ａ２（外側延出部３２２の外縁３２ａ）との間の左右方向における距離も一定ではない。したがって、傾斜弾性部材３７よりも左右方向の外側に延出している横弾性部材３８の長さＷ３８ｅも一定ではない。すなわち、横弾性部材３８が傾斜弾性部材３７から左右方向の外側に延出している長さは、複数の横弾性部材３８の各々について異なっている。したがって、横弾性部材３８の伸縮力によって、傾斜部３２ａ２の外縁部が左右方向の内側に引っ張られる力が一様ではなくなるため、当該外縁部に形成されるフリルの形状や凹凸の大きさが不規則になる。これにより、外側延出部３２２のデザイン性が高まり、また、フリルが柔軟な素材で形成されていることを着用者に印象付け、実際に着用時における肌当たりを柔らかなものとすることができる。
【００７９】
＜おむつ１の変形例＞
おむつ１は以下に説明する第１変形例及び第２変形例のように変形することも可能である。図６は、第１変形例のおむつ１を展開且つ伸長させた状態について、肌側から見た概略平面図である。図７は、第２変形例のおむつ１を展開且つ伸長させた状態について、肌側から見た概略平面図である。
【００８０】
第１変形例のおむつ１では、背側胴回り部材３０の形状が上述の実施形態とは異なる。具体的には、図６に示されるように、背側胴回り部材３０の外縁３２ａにおいて、直線部３２ａ１と傾斜部３２ａ２とが湾曲部３２ａ３によって連続的に接続されている。すなわち、背側胴回り部材３０（外側延出部３２２）の下側において外縁３２ａの一部が曲線的に形成されている。その他の構成は、上述したおむつ１と同様であるため、詳細な説明は省略する。
【００８１】
この変形例１では、外側延出部３２２の外縁３２ａに角が形成されていないため、おむつ１を着用する際に、外側延出部３２２の外縁３２ａが着用者の臀部に滑らかに当接するようになり、着用者にソフトな付心地を感じさせることができる。また、傾斜弾性部材３７が湾曲部３２ａ３に沿ってカーブしながら、一部が直線部３２ａ１に沿って、左右方向と平行に配置されている。すなわち、外側延出部３２２の外縁３２ａの下端部（直線部３２ａ１）において、左右方向の伸縮性が作用するようになる。これにより、おむつ１着用時において、外側延出部３２２が着用者の臀部の輪郭に沿いやすくなり、臀部におけるフィット性をより向上させることができる。
【００８２】
また、第２変形例のおむつ１では、傾斜弾性部材３７の配置が左右で非対称となっている。すなわち、背側胴回り部材３０の左右方向の一方側に配置されている傾斜弾性部材３７が、左右方向の他方側に配置されている傾斜弾性部材３７よりも左右方向の内側寄り（すなわち吸収性本体１０の近く）に位置している。その他の構成は、上述したおむつ１と同様である。
【００８３】
図７の例では、吸収性本体１０よりも右側の外側延出部３２２において、横弾性部材３８が傾斜弾性部材３７よりも右側（左右方向の外側）に延出している長さＷ３８ｅｒと、吸収性本体１０よりも左側の外側延出部３２２において、横弾性部材３８が傾斜弾性部材３７よりも左側（左右方向の外側）に延出している長さＷ３８ｅｌとの長さが異なっている。つまり、外側延出部３２２の左側外縁部と右側外縁部とで、横弾性部材３８が傾斜弾性部材３７よりも左右方向の外側に延出している長さが異なっている。これにより、左右のフリルの形状や大きさが不規則に形成される。したがって、外側延出部３２２の全体的なデザイン性が高まり、また、着用時における肌当たりの柔らかさを着用者に想起させることができる。
＝＝＝その他の実施の形態＝＝＝
【００８４】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００８５】
上述の実施形態では、外装シート１３及び腹側胴回り部材２０、背側胴回り部材３０の素材の一例としてそれぞれ不織布が挙げられていたが、何等不織布に限らない。例えば、織布でも構わないし、織布以外のシート部材でも構わない。ちなみに、外装シート１３については省略しても良く、その場合には、バックシート１２が吸収性本体１０の外装をなすことになる。
【００８６】
上述の実施形態では、背側胴回り部材３０の左右方向の中央領域、具体的には、背側胴回り部材３０のうち吸収性本体１０と重複する領域の一部で胴回り弾性部材３６及び、横弾性部材３８が切断され、当該中央領域において弾性部材３６，３８による伸縮性が発現しないようになっていたが、これには限らない。例えば、弾性部材３６，３８が左右方向の中央の領域において連続して配置されることにより、当該領域で伸縮性を発現しているのであっても良い。逆に、腹側胴回り部材２０では、左右方向の中央の領域において、胴回り弾性部材２４が左右方向に連続して配置されているが、当該中央領域において胴回り弾性部材２４が非連続部を有していても良い。
【符号の説明】
【００８７】
１  おむつ（パンツ型吸収性物品）、
２  接合部、
１０  吸収性本体、
１１  トップシート、１２  バックシート、１３  外装シート、
２０  腹側胴回り部材、
２１  肌側シート、２２  非肌側シート、２３  カバーシート、２４  胴回り弾性部材、
３０  背側胴回り部材、
３１  胴回り部、
３２  延出部、３２１  中央延出部、３２２  外側延出部、
３２ａ  外縁、３２ａ１  直線部、３２ａ２  傾斜部、３２ａ２  湾曲部、
３２ｏｈ  張り出し部、
３３  肌側シート、３４  非肌側シート、３５  カバーシート、
３６  胴回り弾性部材、
３７  傾斜弾性部材、３７ａ，３７ｂ，３７ｃ  傾斜弾性部材、３８  横弾性部材、
４０  吸収体、
ＢＨ  胴回り開口部、ＬＨ  脚回り開口部
【図１】
2019030551.tif 000003
【図２】
2019030551.tif 000004
【図３】
2019030551.tif 000005
【図４】
2019030551.tif 000006
【図５】
2019030551.tif 000007
【図６】
2019030551.tif 000008
【図７】
2019030551.tif 000009